(57)【要約】【課題】コストアップや構成の複雑化を招くことなく、操作性の向上を図ることができる画像処理装置を提供する。【解決手段】第２の記録媒体収納部の蓋１０４が第２の記録媒体収納部の開口部を開放する開放位置へ移動した状態のまま表示手段１０５を使用位置から収納位置へ移動することにより、第２の記録媒体収納部の蓋１０４が前記開口部を閉塞する閉止位置へ移動する。【選択図】      図２
2004260600.tif 000002
【特許請求の範囲】
【請求項１】
画像信号が記録される記録媒体を収納する記録媒体収納部と、画像処理装置本体に前記記録媒体収納部の開口部を開閉し得るように取り付けられた蓋と、前記画像処理装置本体に収納位置と使用位置との間を移動可能に取り付けられ且つ前記画像信号を表示する表示手段とを有する画像処理装置において、
前記記録媒体収納部の蓋が前記開口部を開放する開放位置へ移動した状態のまま前記表示手段を使用位置から収納位置へ移動することにより前記記録媒体収納部の蓋の一部に形成された係合部を押圧し前記開口部を閉塞する閉止位置へ移動するように構成したことを特徴とする画像処理装置。
【請求項２】
前記表示手段を使用位置から収納位置へ移動する動作によって押圧される前記蓋の係合部は、前記表示手段との係合動作を円滑にすべく傾斜面が形成されていることを特徴とする請求項１記載の画像処理装置。
【請求項３】
アクセサリーを取り付けるためのアクセサリーシューと、該アクセサリーシューに着脱自在に装着され且つ前記アクセサリーシューを保護するためのアクセサリーシューカバーとを備えた電子機器において、
前記アクセサリーシューカバーは、前記アクセサリーシューから取り外した際に任意の個所に着脱自在に係止するための係止部を有することを特徴とする電子機器。
【発明の詳細な説明】
【０００１】
【発明の属する技術分野】
本発明は、画像信号を記録再生可能な画像処理装置及びアクセサリーシューを保護するためのアクセサリーシューカバーを有する電子機器に関する。
【０００２】
【従来の技術】
近年、画像処理装置、例えば、ビデオカメラが普及するのに伴い、製品に対する要求が多様化しており、第２の記録媒体が搭載される画像処理装置が増えてきた。
【０００３】
また、従来、アクセサリーシューを電気的或いは機械的に保護するためのアクセサリーシューカバーを有する電子機器が知られている。このアクセサリーシューカバーは、弾性部材で構成されており、その弾性力により付勢した状態で、前記アクセサリーシューに固定されていた。
【０００４】
即ち、図１７に示すように、アクセサリーシューカバー１７０１の両側縁部１７０１ａをアクセサリーシュー１７０２の両側の溝部１７０２ａに、後方から図の矢印方向にスライドさせながら嵌合することにより、アクセサリーシューカバー１７０１がアクセサリーシュー１７０２に固定されるようになっている。
【０００５】
【発明が解決しようとする課題】
しかしながら、近年のビデオカメラ等の画像処理装置は、高機能化と共に小型化されており、第２の記録媒体を収納するための収納部（第２の記録媒体収納部）の配置に工夫が求められている。
【０００６】
これに対応するものとして、近年、撮像素子による画像信号を表示する表示手段を収納するための表示手段収納部の装置本体側に第２の記録媒体収納部を配置した画像処理装置が知られている。
【０００７】
この画像処理装置においては、第２の記録媒体収納部の開口部を開閉する蓋が開放位置にある状態で、前記表示手段を使用位置から収納位置へ移動すると、前記第２の記録媒体収納部の蓋が開放位置のまま、前記表示手段が収納位置に収まったり、或いは、前記表示手段の収納位置側への移動により、前記第２の記録媒体収納部の蓋が開放位置から更に開放方向に押されて破壊してしまうという問題があった。
【０００８】
また、図１７に示すような従来の電子機器におけるアクセサリーシューカバー１７０１の構造では、以下のような問題があった。
（１）アクセサリーを使用するために、アクセサリーシューカバー１７０１をアクセサリーシュー１７０２から取り外した場合に、アクセサリーシューカバー１７０１が形状的に小さいものであるから、紛失する虞があった。
（２）図１７に示す従来例にて明らかなように、アクセサリーシューカバー１７０１をアクセサリーシュー１７０２に、後方から図の矢印方向にスライドさせて嵌合させる構造を採用すると、アクセサリーシュー１７０２が電子機器本体から突出する状態となり、デザイン上からみても電子機器本体との一体感がなく、美的感に乏しく且つデザイン的に制約を受けるために、特徴のあるデザインを具体化することができなかった。
【０００９】
本発明は、上述したような従来技術の有する問題点を解消するためになされたもので、その第１の目的は、コストアップや構成の複雑化を招くことなく、操作性の向上を図った画像処理装置を提供することである。
【００１０】
また、本発明の第２の目的は、アクセサリーシューカバーを紛失する虞がない電子機器を提供することである。
【００１１】
【課題を解決するための手段】
上記第１の目的を達成するために、本発明の画像処理装置は、画像信号が記録される記録媒体を収納する記録媒体収納部と、画像処理装置本体に前記記録媒体収納部の開口部を開閉し得るように取り付けられた蓋と、前記画像処理装置本体に収納位置と使用位置との間を移動可能に取り付けられ且つ前記画像信号を表示する表示手段とを有する画像処理装置において、前記記録媒体収納部の蓋が前記開口部を開放する開放位置へ移動した状態のまま前記表示手段を使用位置から収納位置へ移動することにより前記記録媒体収納部の蓋の一部に形成された係合部を押圧し前記開口部を閉塞する閉止位置へ移動するように構成したことを特徴とする。
【００１２】
また、上記第２の目的を達成するために、本発明の電子機器は、アクセサリーを取り付けるためのアクセサリーシューと、該アクセサリーシューに着脱自在に装着され且つ前記アクセサリーシューを保護するためのアクセサリーシューカバーとを備えた電子機器において、前記アクセサリーシューカバーは、前記アクセサリーシューから取り外した際に任意の個所に着脱自在に係止するための係止部を有することを特徴とする。
【００１３】
【発明の実施の形態】
以下、本発明の各実施の形態を図に基づいて説明する。
【００１４】
（第１の実施の形態）
まず、本発明の第１の実施の形態を、図１乃至図１１に基づき説明する。
【００１５】
図１は、本発明の一実施形態の画像処理装置であるビデオカメラの前面側から見た外観を示す斜視図であり、同図において、１０１は本実施の形態に係る画像処理装置であるビデオカメラ本体、１０２は撮像レンズで、図示しない撮像素子に画像を取り込むものである。１０３は第１の蓋で、前記撮像素子に取り込まれた画像を記録する第１の記録媒体を収納するための第１の記録媒体収納部の開口部を開閉するものである。この第１の蓋１０３は、第１の記録媒体収納部の開口部を開放する開放位置と第１の記録媒体収納部の開口部を閉塞する閉止位置とを取ることが可能なように、ビデオカメラ本体１０１に回動自在に取り付けられている。１０４は第２の蓋で、前記撮像素子に取り込まれた画像を記録する第２の記録媒体を収納するための第２の記録媒体収納部の開口部を開閉するものである。この第２の蓋１０４は、第２の記録媒体収納部の開口部を開放する開放位置と第２の記録媒体収納部の開口部を閉塞する閉止位置とを取ることが可能なように、ビデオカメラ本体１０１に回動自在に取り付けられている。１０５は表示手段で、前記撮像素子による画像信号を表示するものである。１０６はヒンジユニットで、表示手段１０５をビデオカメラ本体１０１に対して収納位置と使用位置とを取り得るように回動可能に取り付けるためのものである。通常時、第２の記録媒体収納部の蓋１０４は、第２の記録媒体収納部の開口部を閉塞する閉止位置に、表示手段１０５は、ビデオカメラ本体１０１に対して収納位置に、それぞれ配置されている。
【００１６】
図２は、図１に示すビデオカメラ本体１０１にヒンジユニット１０６を介して取り付けられた表示手段１０５を使用位置に配置した場合の外観を示す斜視図である。同図において、第２の記録媒体収納部の蓋１０４は、第２の記録媒体収納部の開口部を閉塞する閉止位置に、表示手段１０５は、ビデオカメラ本体１０１に対して使用位置に、それぞれ配置されている。
【００１７】
図３は、図２の一部を拡大し、第２の記録媒体収納部の蓋１０４の一部をカット表示し、内部構造を表した図であり、同図において、図１及び図２と同一部分には同一符合が付してある。
【００１８】
図３において、３０１は回転軸で、第２の記録媒体収納部の蓋１０４が開口部を開放する開放位置と開口部を閉塞する閉止位置との間を回転移動するためのものである。３０２はトーションバネ等から成る付勢部材で、第２の記録媒体収納部の蓋１０４を常に開口部を開放する開放位置方向へ移動させるためのものである。
【００１９】
図４は、第２の記録媒体収納部の蓋１０４が開口部を閉塞する閉止位置に配置された状態でのロック構造を示す断面図であり、同図において、図１乃至図３と同一部分には同一符合が付してある。
【００２０】
図４において、４０１は第１のロック爪で、第２の記録媒体収納部の蓋１０４を、開口部を閉塞する閉止位置に配置するためのもので、第２の記録媒体収納部の蓋１０４に取り付けられている。４０２は第２のロック爪で、第２の記録媒体収納部の蓋１０４を、開口部を閉塞する閉止位置に配置するためのもので、ビデオカメラ本体１０１に取り付けられている。４０３は第１のストッパーで、第２の記録媒体収納部の蓋１０４を、開口部を開放する開放位置に配置するためのもので、第２の記録媒体収納部の蓋１０４に取り付けられている。４０４は第２のストッパーで、第２の記録媒体収納部の蓋１０４を、開口部を開放する開放位置に配置するためのもので、ビデオカメラ本体１に取り付けられている。
【００２１】
図４において、第２の記録媒体収納部の蓋１０４の第１のロック爪４０１とビデオカメラ本体１０１の第２のロック爪４０２とが互いに係合しており、第２の記録媒体収納部の蓋１０４が開口部を閉塞する閉止位置に配置されている。
【００２２】
図５は、第２の記録媒体収納部の蓋１０４が開口部を開放する開放位置に配置された状態でのロック構造を示す断面図であり、同図において、図４と同一部分には同一符合が付してある。
【００２３】
図４において係合していた第２の記録媒体収納部の蓋１０４の第１のロック爪４０１とビデオカメラ本体１０１の第２のロック爪４０２とが外れて、第２の記録媒体収納部の蓋１０４は、付勢部材３０２の付勢力により開口部を開放する開放位置方向へ移動し、第２の記録媒体収納部の蓋１０４に取り付けられた第１のストッパー４０３がビデオカメラ本体１０１に取り付けられた第２のストッパー４０４に突き当たり、第２の記録媒体収納部の蓋１０４が開口部を開放する開放位置に配置されている。
【００２４】
図６は、第２の記録媒体収納部の蓋１０４が開口部を閉塞する閉止位置に配置された状態での第２の記録媒体収納部を示す断面図であり、同図において、図１乃至図５と同一部分には同一符合が付してある。
【００２５】
図６において、６０１は窪みで、第２の記録媒体収納部の蓋１０４に設けられ、この第２の記録媒体収納部の蓋１０４を閉止位置から開放位置へ移動させる際に、窪み６０１に指或いは爪を掛けて、第２の記録媒体収納部の蓋１０４の第１のロック爪４０１とビデオカメラ本体１０１の第２のロック爪４０２との係合を解除するためのものである。６０２は第２の記録媒体、６０３は第２の記録媒体用の電気コネクタで、第２の記録媒体６０２を収納し且つ電気的接続をするものである。６０４は回路基板で、第２の記録媒体用の電気コネクタ６０３を搭載し、ビデオカメラ本体１０１内の図示していない制御部へ接続されるものである。第２の記録媒体６０２は、電気コネクタ６０３に収納されて電気的に接続されており、ビデオカメラ本体１０１内の図示していない制御部と通信可能となっている。
【００２６】
図７は、第２の記録媒体収納部の蓋１０４が開口部を開放する開放位置に配置された状態での第２の記録媒体収納部を示す断面図であり、同図において、図６と同一部分には同一符合が付してある。
【００２７】
図７に示すように、第２の記録媒体６０２は、電気コネクタ６０３からイジェクトされた状態において指で摘み、第２の記録媒体収納部より取り出すことができる。
【００２８】
図８は、図７の状態でのビデオカメラの外観を示す全体斜視図であり、同図において、図１乃至図６と同一部分には同一符合が付してある。
【００２９】
図８に示すように、第２の記録媒体収納部の蓋１０４が開口部を開放する開放位置に配置された状態において、第２の記録媒体６０２は、電気コネクタ６０３からイジェクトされた状態にあり、指で摘んで第２の記録媒体収納部より取り出すことができる。
【００３０】
図９は、第２の記録媒体６０２が電気コネクタ６０３に収納された状態でのビデオカメラの外観を示す要部拡大斜視図であり、同図において、図１乃至図６と同一部分には同一符合が付してある。
【００３１】
図９に示すように、第２の記録媒体収納部の蓋１０４は、開口部を開放する開放位置に配置され、第２の記録媒体６０２の一部が露出している。
【００３２】
図１０は、第２の記録媒体収納部の蓋１０４が開口部を開放する開放位置に配置されたままの状態で、表示手段１０５を使用位置から収納位置へ移動する途中状態でのビデオカメラの外観を示す全体斜視図であり、同図において、図１と同一部分には同一符合が付してある。
【００３３】
図１０において、１００１は第２の記録媒体収納部の蓋１０４の一部に形成された係合部であり、１００２は表示手段１０５のビデオカメラ本体１０１側の面である。表示手段１０５を使用位置から収納位置へ移動する途中で、表示手段１０５のビデオカメラ本体１０１側の面１００２が第２の記録媒体収納部の蓋１０４の係合部１００１に当たり始め、表示手段１０５を更に収納位置方向へ移動させると、第２の記録媒体収納部の蓋１０４は、表示手段１０５のビデオカメラ本体１０１側の面１００２に押され、回転軸３０１（図３参照）を中心に回転し、第２の記録媒体収納部の開口部を閉塞する閉止位置方向へ移動し、図１に示すように、表示手段１０５を収納位置へ移動完了すると、図４に示すように、第２の記録媒体収納部の蓋１０４の第１のロック爪４０１とビデオカメラ本体１０１の第２のロック爪４０２とが係合し、第２の記録媒体収納部の蓋１０４が閉止位置に固定される。
【００３４】
尚、係合部１００１は、表示手段１０５が使用位置から収納位置へ移動する過程でその面１００２と係合した際、面１００２上を滑りやすくするために、略円弧状の傾斜面が形成されている。
【００３５】
以上詳述したように、本実施の形態に係る画像処理装置によれば、ユーザーが第２の記録媒体収納部の蓋を閉止位置に戻すことを忘れても、表示装置を使用状態から収納状態へ移動させることにより、第２の記録媒体収納部の蓋は、開放位置から閉止位置へ移動されてロック保持されるため、第２の記録媒体収納部の蓋の閉め忘れがなくなり、ごみ等の進入を防ぐことができ、従って、コストアップや、装置構成の複雑化を招くことなく、操作性を向上させることができる。
【００３６】
また、本実施の形態に係る画像処理装置によれば、表示手段を使用状態から収納状態へ移動させ、前記表示手段の一部が第２の記録媒体収納部の蓋の一部を押し始め、第２の記録媒体収納部の蓋が回転軸を中心に閉止位置方向へ回転するため、第２の記録媒体収納部の蓋が、表示手段の収納位置方向への移動により開放位置方向へ押されてストッパーを乗り越えて破壊するということを防止することができる。
【００３７】
（第２の実施の形態）
次に、本発明の第２の実施の形態を、図１１に基づき説明する。
【００３８】
図１１は、本発明の第２の実施の形態に係る画像処理装置であるビデオカメラの底面側から見た要部の外観図であり、同図において、上述した第１の実施の形態における図１０と同一部分には同一符合が付してある。
【００３９】
図１１は、第２の記録媒体収納部の蓋１０４が開口部を開放する開放位置に配置されたままの状態で、表示手段１０５を使用位置から収納位置へ移動する途中を示している。
【００４０】
表示手段１０５を使用位置から収納位置へ移動する途中で、表示手段１０５のビデオカメラ本体１０１側の面１００２が第２の記録媒体収納部の蓋１０４の一部１００１に当たり始めるが、第２の記録媒体収納部の蓋１０４の一部１００１の面形状を、表示手段１０５のビデオカメラ本体１０１側の面１００２が第２の記録媒体収納部の蓋１０４の一部１００１に当たり始める時の表示手段１０５のビデオカメラ本体１０１側の面１００２に合わせて傾斜する形状に設定している。
【００４１】
本実施の形態に係る画像処理装置によれば、表示手段１０５を使用状態から収納状態へ移動させる際に、表示手段１０５のビデオカメラ本体１０１側の面１００２が最初に当たる第２の記録媒体収納部の蓋１０４の一部１００１の面形状を、表示手段１０５のビデオカメラ本体１０１側の面１００２に合わせて傾斜する形状に設定したことにより、第２の記録媒体収納部の蓋１０４の一部１００１の面と表示手段１０５のビデオカメラ本体１０１側の面１００２とが略平行な形状となり、表示手段１０５のビデオカメラ本体１０１側の面１００２と記録媒体収納部の蓋１０４の一部１００１の面とが共に干渉して傷付くということがなく、スムーズに回転移動することができる。
【００４２】
（第３の実施の形態）
次に、本発明の第３の実施の形態を、図１２乃至図１６に基づき説明する。
【００４３】
図１２は、本発明の第３の実施の形態に係る電子機器であるビデオカメラの外観図であり、同図において、１２００はビデオカメラ本体、１２０１は撮像レンズで、被写体からの光学的な画像情報を不図示の固体撮像素子に光学的に結像させ、その固体撮像素子により光学情報を電気信号に変換して画像情報を得るためのものである。１２０２はマニュアルフォーカスリングで、前述した撮像レンズ１２０１の光軸を中心として回転自在となっており、このマニュアルフォーカスリング１２０２を回転させることにより、撮像レンズ１２０１からの光学情報を固体撮像素子に結像させるためのものである。１２０３はアクセサリーシュー、１２０４はアクセサリーシューカバーである。
【００４４】
１２０５はズームスイッチで、撮像レンズ１２０１の焦点距離を自在に変えるためのものであり、本実施の形態においては、ビデオカメラ本体の上面に配置されている。そして、撮像レンズ１２０１の光軸と平行な軸を持った大きな曲率面の摺動面に沿ってズームスイッチ１２０５を摺動させることによって、撮像レンズ１２０１の焦点距離を可能ならしめる。１２０６は電子ビューファインダーユニットで、内部に小型液晶表示器が搭載され、先端部に設けられたアイカップ１２０６ａを肉眼で覗くことにより、撮像レンズ１２０１から通した被写体情報を確認することができる。
【００４５】
１２０７は表示手段である大型サイズの液晶パネルユニットで、図１２においては、収納状態若しくは非作動状態を示している。液晶パネルユニット１２０７は、その表示画面がビデオカメラ本体の内側に面した形で収納されている。この液晶パネルユニット１２０７を使用するためには、液晶パネルユニット収納ロック解除ボタン１２０７ａを前方（撮像レンズ１２０１方向）に摺動することにより、液晶パネルユニット１２０７の収納状態を解除することが可能となる。１２０７ｂはヒンジユニットで、光軸に対して上下方向に垂直及び光軸に対して平行な位置関係で、二本の回転軸を有する。光軸に対して上下方向に垂直な回転軸で回転させると液晶パネルユニット１２０７が開き、液晶パネルユニット１２０７の表示画面での被写体情報を確認することができる。
【００４６】
１２０８は一対のマイク部で、これらのマイク部１２０８は、撮像レンズ１２０１の正面から見て光軸に対して左右対称位置にある。そして、一対のマイク部１２０８で被写体の音声を集音することにより、ステレオ効果を出すことが可能となる。１２０９は照明窓で、内部に電球或いはＬＥＤ（発光ダイオード）等が内蔵されており、一対のマイク部１２０８の相互間に配置されている。被写体からの光学情報量が低い、即ち、周辺が暗い場合、照明窓１２０９から照明光が照射されて被写体を照明し、被写体からの光学情報を多く得ることができる。１２１０はリモコン窓で、撮像レンズ１２０１の正面から見て光軸真下に位置する。リモコン窓１２１０は、赤外線を受光するためのもので、不図示のリモコンユニットからの制御信号を赤外線によって発射し、ビデオカメラを制御するものである。
【００４７】
図１２にて明確なように、アクセサリーシューカバー１２０４は、ビデオカメラ本体の上面に取り付けられた状態で、且つアクセサリーシュー１２０３の後方に位置するような関係で、アクセサリーシューカバー１２０４の外観の面と、アクセサリーシュー１２０３の上面とが略同一平面となるように構成されており、デザイン的に一体感を持ったビデオカメラを提供することが可能となる。
【００４８】
図１３は、本実施の形態に係る画像処理装置であるビデオカメラのアクセサリーシューカバー１２０４をアクセサリーシュー１２０３から取り外した状態の外観図であり、同図において、図１２と同一部分には同一符合が付してある。
【００４９】
アクセサリーシューカバー１２０４をアクセサリーシュー１２０３から取り外すと、アクセサリーシューカバー１２０４の後方には、アクセサリーシューカバー１２０４の外形に沿ったの跡のまま、一段下がった形が形成されている。アクセサリーシュー１２０３にアクセサリー（付属品）を取り付けるためには、アクセサリーシュー１２０３の後方にアクセサリーが十分に摺動可能な領域ができるため、アクセサリーをアクセサリーシュー１２０３の後方から摺動させて、該アクセサリーシュー１２０３に装着する。
【００５０】
尚、アクセサリーシュー１２０３の摺動面１２０３ａとビデオカメラのアクセサリーが摺動する面１３０１とは、略同一平面となるように構成されている。
【００５１】
次に、本実施の形態に係る画像処理装置であるビデオカメラにおけるアクセサリーシューカバー１２０４の構成について、図１４及び図１５に基づき説明する。
【００５２】
図１４は、本実施の形態に係る画像処理装置であるビデオカメラにおけるアクセサリーシューカバー１２０４の表面側斜視図、図１５は、同裏面側斜視図である。
【００５３】
図１４において、１２０４はアクセサリーシューカバーで、その後方部には、アクセサリーシューカバー１２０４の面より若干凸形状になった突部１２０４ａが一体形成されている。また、アクセサリーシューカバー１２０４の先端部には、突起部（接触部）１２０４ｂが一体形成されている。
【００５４】
図１５において、１５０１は弾性部材から成るフック部材（係止部材）で、アクセサリーシューカバー１２０４の裏面側に固定されている。フック部材１５０１は、弾性を有するフック部（係止部）１５０１ａと弾性を有する爪部（係合部）１５０１ｂとを備えている。そして、アクセサリーをアクセサリーシュー１２０３に取り付けるために、アクセサリーシューカバー１２０４をアクセサリーシュー１２０３から取り外した場合、フック部材１５０１のフック部１５０１ａにビデオカメラのグリップベルトや、レンズキャップの紐等が、若しくはフック部材１５０１のフック部１５０１ａが衣服のポケットに着脱自在に係止できるようになっている。
【００５５】
このように、アクセサリーシューカバー１２０４を任意の個所に着脱自在に係止することが可能であるから、アクセサリーシュー１２０３から取り外したアクセサリーシューカバー１２０４の取り扱いに困ることがなく、アクセサリーシューカバー１２０４を紛失してしまうという問題も解決される。
【００５６】
また、爪部１５０１ｂは、後述するビデオカメラ本体に設けられた凹部に弾性係合するようになっている。
【００５７】
図１６は、本実施の形態に係る画像処理装置であるビデオカメラにおけるアクセサリーシューカバー１２０４をビデオカメラ本体に取り付けた状態を示す要部の断面図である。
【００５８】
アクセサリーシューカバー１２０４をアクセサリーシュー１２０３から取り外した後、再度アクセサリーシュー１２０３に取り付ける場合、アクセサリーシューカバー１２０４の突起部１２０４ｂをビデオカメラの本体カバー内壁１６０１に弾性的に接触させて引っ掛け、フック部材１５０１の爪部１５０１ｂをビデオカメラ本体に設けられた第１の凹部１６０２に弾性を利用して嵌め込む。爪部１５０１ｂは、弾性を持っており、第１の凹部１６０２に対して付勢した状態で取り付けられており、その取り付け状態は、がたつくことなく安定し、振動や落下によって外れることがない。
【００５９】
ビデオカメラ本体には、アクセサリーシューカバー１２０４の突部１２０４ａに対称な形で第２の凹部１６０３が設けられている。そして、アクセサリーシューカバー１２０４をアクセサリーシュー１２０３から取り外す場合は、アクセサリーシューカバー１２０４の突部１２０４ａとビデオカメラ本体に設けられた第２の凹部１６０３との間に指を入れて、アクセサリーシューカバー１２０４の内壁に指を引っ掛けるように上方に持ち上げることにより、フック部材１５０１の爪部１５０１ｂは弾性変形して、ビデオカメラ本体に設けられた第２の凹部１６０３から離脱して、取り外すことが可能となる。
【００６０】
また、アクセサリーシューカバー１２０４の突部１２０４ａは、ビデオカメラを保持する場合における指掛け部の機能を持ち、ビデオカメラを安定して保持することが可能となっている。
【００６１】
以上のように、本実施の形態に係る電子機器によれば、アクセサリーシューカバー１２０４にフック部材１５０１を設け、アクセサリーシューカバー１２０４をアクセサリーシュー１２０３から取り外した場合に、このフック部材１５０１をビデオカメラのグリップベルトや、レンズキャップの紐等に掛けることが可能であるから、アクセサリーシューカバー１２０４の紛失を防止することができる。
【００６２】
また、アクセサリーシュー１２０３の後方に、ある程度の面を持ったアクセサリーシューカバー１２０４を設けることにより、デザイン上一体感のある電子機器を提供することが可能となる。
【００６３】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００６４】
本発明の実施態様の例を以下に列挙する。
【００６５】
［実施態様１］  画像信号が記録される記録媒体を収納する記録媒体収納部と、画像処理装置本体に前記記録媒体収納部の開口部を開閉し得るように取り付けられた蓋と、前記画像処理装置本体に収納位置と使用位置との間を移動可能に取り付けられ且つ前記画像信号を表示する表示手段とを有する画像処理装置において、
前記記録媒体収納部の蓋が前記開口部を開放する開放位置へ移動した状態のまま前記表示手段を使用位置から収納位置へ移動することにより前記記録媒体収納部の蓋の一部に形成された係合部を押圧し前記開口部を閉塞する閉止位置へ移動するように構成したことを特徴とする画像処理装置。
【００６６】
［実施態様２］  前記表示手段を使用位置から収納位置へ移動する動作によって押圧される前記蓋の係合部は、前記表示手段との係合動作を円滑にすべく傾斜面が形成されていることを特徴とする実施態様１記載の画像処理装置。
【００６７】
［実施態様３］  前記表示手段を使用位置から収納位置へ移動する際に、前記表示手段の面が最初に当たる前記記録媒体収納部の蓋の一部の面を、前記表示手段の面に略平行と成る形状としたことを特徴とする実施態様１に記載の画像処理装置。
【００６８】
［実施態様４］  アクセサリーを取り付けるためのアクセサリーシューと、該アクセサリーシューに着脱自在に装着され且つ前記アクセサリーシューを保護するためのアクセサリーシューカバーとを備えた電子機器において、
前記アクセサリーシューカバーは、前記アクセサリーシューから取り外した際に任意の個所に着脱自在に係止するための係止部を有することを特徴とする電子機器。
【００６９】
［実施態様５］  前記アクセサリーシューの後方に、電子機器本体の外観基本面に対して段差を持った平面を備えていることを特徴とする実施態様４に記載の電子機器。
【００７０】
［実施態様６］  前記平面は、前記アクセサリーシューのアクセサリーを摺動させる面と略同一面になるように構成したことを特徴とする実施態様５に記載の電子機器。
【００７１】
［実施態様７］  前記平面の後方に凹部を有し、前記アクセサリーシューカバーは、前記凹部に弾性係合する係合部と、前記アクセサリーシュー前方に位置する電子機器本体の所定部内壁に弾性的に接触する接触部とを有することを特徴とする実施態様５または６に記載の電子機器。
【００７２】
［実施態様８］  前記アクシューカバーは、該アクシューカバーを電子機器本体に取り付けたとき、該電子機器本体の基本外観面と前記アクシューカバーの外観面とが同一面となるように構成したことを特徴とする実施態様４乃至７のいずれかに記載の電子機器。
【００７３】
［実施態様９］  前記任意の個所とは、画像処理装置のグリップベルトであることを特徴とする実施態様４に記載の電子機器。
【００７４】
［実施態様１０］  前記任意の個所とは、画像処理装置のレンズキャップの紐であることを特徴とする実施態様４に記載の電子機器。
【００７５】
［実施態様１１］  前記任意の個所とは、ユーザーの衣服のポケットであることを特徴とする実施態様４に記載の電子機器。
【００７６】
【発明の効果】
以上詳述したように、本発明の画像処理装置によれば、コストアップや構成の複雑化を招くことなく、操作性の向上を図ることができる。
【００７７】
また、本発明の電子機器によれば、アクセサリーシューからアクセサリーシューカバーを取り外した状態では、該アクセサリーシューカバーに設けた係止部を任意の個所に着脱自在に係止することにより、アクセサリーシューカバーの紛失を防止することができる。
【図面の簡単な説明】
【図１】本発明の第１の実施の形態に係る画像処理装置であるビデオカメラの前面側から見た外観斜視図である。
【図２】本発明の第１の実施の形態に係る画像処理装置であるビデオカメラの表示手段を使用位置に配置した状態の外観斜視図である。
【図３】本発明の第１の実施の形態に係る画像処理装置であるビデオカメラの一部を拡大し、一部の部品をカット表示した外観斜視図である。
【図４】本発明の第１の実施の形態に係る画像処理装置であるビデオカメラの第２の記録媒体収納部の蓋を閉止位置に配置した状態の要部断面図である。
【図５】本発明の第１の実施の形態に係る画像処理装置であるビデオカメラの第２の記録媒体収納部の蓋を開放位置に配置した状態の要部断面図である。
【図６】本発明の第１の実施の形態に係る画像処理装置であるビデオカメラの第２の記録媒体収納部の蓋を閉止位置に配置し且つ第２の記録媒体を第２の記録媒体収納部に挿入した状態の要部断面図である。
【図７】本発明の第１の実施の形態に係る画像処理装置であるビデオカメラの第２の記録媒体収納部の蓋を開放位置に配置し且つ第２の記録媒体を第２の記録媒体収納部からイジェクト位置に排出した状態の要部断面図である。
【図８】本発明の第１の実施の形態に係る画像処理装置であるビデオカメラの第２の記録媒体収納部の蓋を開放位置に配置し且つ第２の記録媒体を第２の記録媒体収納部からイジェクト位置に排出した状態の外観斜視図である。
【図９】本発明の第１の実施の形態に係る画像処理装置であるビデオカメラの第２の記録媒体収納部の蓋を開放位置に配置し且つ第２の記録媒体を第２の記録媒体収納部に挿入した状態の要部斜視図である。
【図１０】本発明の第１の実施の形態に係る画像処理装置であるビデオカメラの第２の記録媒体収納部の蓋を開放位置に配置したままの状態で、表示手段を使用位置から収納位置へ移動する途中状態の外観斜視図である。
【図１１】本発明の第２の実施の形態に係る画像処理装置であるビデオカメラの底面側から見た要部外観図である。
【図１２】本発明の第３の実施の形態に係る電子機器であるビデオカメラのアクセサリーシューカバーをアクセサリーシューに取り付けた状態の外観斜視図である。
【図１３】本発明の第３の実施の形態に係る電子機器であるビデオカメラのアクセサリーシューカバーをアクセサリーシューから取り外した状態の外観斜視図である。
【図１４】本発明の第３の実施の形態に係る電子機器であるビデオカメラにおけるアクセサリーシューカバーの構成を示す表面側から見た斜視図である。
【図１５】本発明の第３の実施の形態に係る電子機器であるビデオカメラにおけるアクセサリーシューカバーの構成を示す裏面側から見た斜視図である。
【図１６】本発明の第３の実施の形態に係る電子機器であるビデオカメラのアクセサリーシューカバーをアクセサリーシューに取り付けた状態の要部断面図である。
【図１７】従来のアクセサリーシューカバーを有する電子機器であるビデオカメラの外観斜視図である。
【符号の説明】
１０１      ビデオカメラ本体
１０２      撮像レンズで
１０３      第１の記録媒体収納部の蓋（第１の蓋）
１０４      第２の記録媒体収納部の蓋（第２の蓋）
１０５      表示手段
１０６      ヒンジユニット
３０１      回転軸
３０２      付勢部材
４０１      第１のロック爪
４０２      第２のロック爪
４０３      第１のストッパー
４０４      第２のストッパー
６０１      窪み
６０２      第２の記録媒体
６０３      第２の記録媒体用の電気コネクタ
６０４      回路基板
１００１    第２の記録媒体収納部の蓋の一部に形成された係合部
１００２    表示手段のビデオカメラ本体側の面
１２００    ビデオカメラ本体
１２０１    撮像レンズ
１２０２    マニュアルフォーカスリング
１２０３    アクセサリーシュー
１２０３ａ  アクセサリーシューの摺動面
１２０４    アクセサリーシューカバー
１２０４ａ  アクセサリーシューカバーの面より若干凸形状になった突部
１２０４ｂ  アクセサリーシューカバーの先端部に形成された突起部（接触部）
１２０５    ズームスイッチ
１２０６    電子ビューファインダーユニット
１２０６ａ  アイカップ１２０６ａ
１２０７    表示手段（液晶パネルユニット）
１２０７ａ  液晶パネルユニット収納ロック解除ボタン
１２０７ｂ  ヒンジユニット
１２０８    マイク部
１２０９    照明窓
１２１０    リモコン窓
１５０１    アクセサリーシューカバーの裏面側に固定されフック部材（係止部材）
１５０１ａ  フック部（係止部）
１５０１ｂ  爪部（係合部）
１６０１    ビデオカメラの本体カバー内壁
１６０２    ビデオカメラ本体に設けられた第１の凹部
１６０３    ビデオカメラ本体に設けられた第２の凹部
【図１】
2004260600.tif 000003
【図２】
2004260600.tif 000004
【図３】
2004260600.tif 000005
【図４】
2004260600.tif 000006
【図５】
2004260600.tif 000007
【図６】
2004260600.tif 000008
【図７】
2004260600.tif 000009
【図８】
2004260600.tif 000010
【図９】
2004260600.tif 000011
【図１０】
2004260600.tif 000012
【図１１】
2004260600.tif 000013
【図１２】
2004260600.tif 000014
【図１３】
2004260600.tif 000015
【図１４】
2004260600.tif 000016
【図１５】
2004260600.tif 000017
【図１６】
2004260600.tif 000018
【図１７】
2004260600.tif 000019